【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技球が打ち込まれる遊技盤と、
前記遊技領域に向けて打ち込まれた遊技球を受け入れ可能な始動口と、
前記始動口への遊技球の入球を検出する始動検出手段と、
前記始動検出手段により前記始動口への遊技球の入球が検出されることに基づき、遊技者にとって有利な特別遊技の実行契機となる大当たりについての当落にかかる抽選処理を行う抽選手段と、
前記抽選手段により前記大当たりが当選されることに基づいて前記遊技者にとって有利な特別遊技を行う特別遊技実行手段と、
楽曲を音響出力可能な楽曲出力手段と、
複数の装飾図柄及び演出映像を表示可能な表示手段と、
前記複数の装飾図柄についての変動表示演出を含めて、前記抽選手段による前記抽選処理の結果を遊技者に示説するための各種の演出を行う演出制御手段と、を備え、
前記演出制御手段は、前記抽選手段により前記大当たりが当選されたときは、前記複数の装飾図柄の変動表示停止時における表示態様が特定の表示態様となるように前記変動表示演出を行う遊技機であって、
前記演出制御手段は、
前記抽選手段による前記抽選処理の結果に基づいて、第１のリーチ演出よりも前記特定の表示態様が現れる確率の高い変動表示演出である第２のリーチ演出を行うとき、前記第１のリーチ演出をまずは実行するとともに、該第１のリーチ演出が実行された時点で前記表示手段に現れている演出映像及び前記楽曲出力手段により音響出力されている楽曲がそれぞれ異種の演出映像及び声楽曲に切り替えられるかたちで前記第２のリーチ演出をさらに実行するリーチ演出実行手段を備えて構成される遊技機であって、
前記第２のリーチ演出に用いられる演出映像と同種の演出映像が前記表示手段に現れる演出である映像演出を実行する映像演出実行手段と、
前記第２のリーチ演出に用いられる声楽曲と同種の声楽曲が前記楽曲出力手段により音響出力される演出である楽曲演出を実行する楽曲演出実行手段と、をさらに備え、
前記リーチ演出実行手段は、所定の条件が満たされたときは、前記第２のリーチ演出を行うにあたり、前記映像演出実行手段及び前記楽曲演出実行手段を通じて前記映像演出及び前記楽曲演出を前記第１のリーチ演出に代えてそれぞれ実行することによって、当該映像演出及び楽曲演出が開始されてから前記第２のリーチ演出が終了するまでの期間、前記表示手段に１つの演出映像を継続して表示させるとともに前記楽曲出力手段により１つの声楽曲を継続して音響出力させるようにした
ことを特徴とする遊技機。
【請求項２】
請求項１に記載の遊技機において、
前記映像演出及び前記楽曲演出の各演出内容を示す複数の映像楽曲演出情報が記憶されている映像楽曲演出記憶手段と、
前記映像楽曲演出記憶手段に記憶されている複数の映像楽曲演出情報のいずれか１つを選出する映像楽曲演出選出手段と、
前記第２のリーチ演出の演出内容を示す複数の第２のリーチ演出情報が前記映像楽曲演出情報の別にそれぞれ対応付けされるかたちで記憶されている第２のリーチ演出記憶手段と、をさらに備え、
前記映像演出実行手段及び前記楽曲演出実行手段は、前記映像楽曲演出選出手段により選出された映像楽曲演出情報に基づいて前記映像演出及び楽曲演出をそれぞれ実行するものであり、
前記リーチ演出実行手段は、前記映像楽曲演出選出手段により選出された映像楽曲演出情報に対応付けされるかたちで前記第２のリーチ演出記憶手段に記憶されている第２のリーチ演出情報に基づいて前記第２のリーチ演出を行う
ことを特徴とする遊技機。
【請求項３】
前記抽選手段は、前記始動検出手段により前記始動口への遊技球の入球が検出されることに基づいて乱数を取得し、該取得した乱数に基づいて前記抽選処理を行うものである
請求項１または２に記載の遊技機。
【手続補正２】
【補正対象書類名】明細書
【補正対象項目名】００１０
【補正方法】変更
【補正の内容】
【００１０】
前記課題を解決するため、請求項１に記載の発明では、遊技領域が形成され、当該遊技領域に向けて遊技球が打ち込まれる遊技盤と、前記遊技領域に向けて打ち込まれた遊技球を受け入れ可能な始動口と、前記始動口への遊技球の入球を検出する始動検出手段と、前記始動検出手段により前記始動口への遊技球の入球が検出されることに基づき、遊技者にとって有利な特別遊技の実行契機となる大当たりについての当落にかかる抽選処理を行う抽選手段と、前記抽選手段により前記大当たりが当選されることに基づいて前記遊技者にとって有利な特別遊技を行う特別遊技実行手段と、楽曲を音響出力可能な楽曲出力手段と、複数の装飾図柄及び演出映像を表示可能な表示手段と、前記複数の装飾図柄についての変動表示演出を含めて、前記抽選手段による前記抽選処理の結果を遊技者に示説するための各種の演出を行う演出制御手段と、を備え、前記演出制御手段は、前記抽選手段により前記大当たりが当選されたときは、前記複数の装飾図柄の変動表示停止時における表示態様が特定の表示態様となるように前記変動表示演出を行う遊技機であって、前記演出制御手段は、前記抽選手段による前記抽選処理の結果に基づいて、第１のリーチ演出よりも前記特定の表示態様が現れる確率の高い変動表示演出である第２のリーチ演出を行うとき、前記第１のリーチ演出をまずは実行するとともに、該第１のリーチ演出が実行された時点で前記表示手段に現れている演出映像及び前記楽曲出力手段により音響出力されている楽曲がそれぞれ異種の演出映像及び声楽曲に切り替えられるかたちで前記第２のリーチ演出をさらに実行するリーチ演出実行手段と、を備えて構成される遊技機であって、前記第２のリーチ演出に用いられる演出映像と同種の演出映像が前記表示手段に現れる演出である映像演出を実行する映像演出実行手段と、前記第２のリーチ演出に用いられる声楽曲と同種の声楽曲が前記楽曲出力手段により音響出力される演出である楽曲演出を実行する楽曲演出実行手段と、をさらに備え、前記リーチ演出実行手段は、所定の条件が満たされたときは、前記第２のリーチ演出を行うにあたり、前記映像演出実行手段及び前記楽曲演出実行手段を通じて前記映像演出及び前記楽曲演出を前記第１のリーチ演出に代えてそれぞれ実行することによって、当該映像演出及び楽曲演出が開始されてから前記第２のリーチ演出が終了するまでの期間、前記表示手段に１つの演出映像を継続して表示させるとともに前記楽曲出力手段により１つの声楽曲を継続して音響出力させるようにしたことを要旨とする。
【手続補正３】
【補正対象書類名】明細書
【補正対象項目名】００１１
【補正方法】変更
【補正の内容】
【００１１】
また、請求項２に記載の発明では、請求項１に記載の遊技機において、前記映像演出及び前記楽曲演出の各演出内容を示す複数の映像楽曲演出情報が記憶されている映像楽曲演出記憶手段と、前記映像楽曲演出記憶手段に記憶されている複数の映像楽曲演出情報のいずれか１つを選出する映像楽曲演出選出手段と、前記第２のリーチ演出の演出内容を示す複数の第２のリーチ演出情報が前記映像楽曲演出情報の別にそれぞれ対応付けされるかたちで記憶されている第２のリーチ演出記憶手段と、をさらに備え、前記映像演出実行手段及び前記楽曲演出実行手段は、前記映像楽曲演出選出手段により選出された映像楽曲演出情報に基づいて前記映像演出及び楽曲演出をそれぞれ実行するものであり、前記リーチ演出実行手段は、前記映像楽曲演出選出手段により選出された映像楽曲演出情報に対応付けされるかたちで前記第２のリーチ演出記憶手段に記憶されている第２のリーチ演出情報に基づいて前記第２のリーチ演出を行うことを要旨とする。
また、請求項３に記載の発明では、請求項１または２に記載の遊技機において、前記抽選手段は、前記始動検出手段により前記始動口への遊技球の入球が検出されることに基づいて乱数を取得し、該取得した乱数に基づいて前記抽選処理を行うことを要旨とする。
【手続補正４】
【補正対象書類名】明細書
【補正対象項目名】００１２
【補正方法】変更
【補正の内容】
【００１２】
上記構成では、上記始動口への遊技球の入球が検出されることに基づき、遊技者にとって有利な特別遊技の実行契機となる大当たりについての当落にかかる抽選処理を行う抽選手段を備える。そして、この抽選手段により上記大当たりが当選されたときは、表示手段に表示される複数の装飾図柄の変動表示停止時における表示態様が特定の表示態様となるように変動表示演出を行う。
【手続補正５】
【補正対象書類名】明細書
【補正対象項目名】００１３
【補正方法】変更
【補正の内容】
【００１３】
こうした遊技機にあって、上記抽選手段による抽選処理の結果に基づいて、第１のリーチ演出（ノーマルリーチ演出）よりも上記特定の表示態様が現れる確率の高い変動表示演出である第２のリーチ演出（スーパーリーチ演出）を行うとき、上記第１のリーチ演出をまずは実行するとともに、該第１のリーチ演出が実行された時点で上記表示手段に現れている演出映像及び前記楽曲出力手段により音響出力されている楽曲がそれぞれ異種の演出映像及び声楽曲に切り替えられるかたちで上記第２のリーチ演出を実行するリーチ演出実行手段を備える。
【手続補正６】
【補正対象書類名】明細書
【補正対象項目名】００１９
【補正方法】変更
【補正の内容】
【００１９】
また、上記映像演出実行手段及び上記楽曲演出実行手段は、上記第２のリーチ演出が行われなかった場合であっても、上記映像演出及び楽曲演出をそれぞれ実行することは可能である。
なお、上記特別遊技とは、いわゆる大当たり遊技のことであり、より具体的には当該特別遊技が行われない状態にあるときよりも遊技者が多くの賞球を獲得可能な遊技のことをいう。
【手続補正７】
【補正対象書類名】明細書
【補正対象項目名】００２０
【補正方法】変更
【補正の内容】
【００２０】
また特に、請求項２に記載の遊技機では、複数種の声楽曲が録音されており、これら複数種の声楽曲から選択的に声楽曲を音響出力するようにしたため、遊技者は、複数種の声楽曲を聴くことができるようになり、遊技の興趣の低下を抑制することができるようになる。また、第２のリーチ演出の演出内容を示す複数の第２のリーチ演出情報を上記映像楽曲演出情報の別にそれぞれ対応付けされるかたちで記憶しておくこととしたため、上記楽曲演出にて用いられた声楽曲と同種の声楽曲を上記第２のリーチ演出にて選択的に使用する際の演算負荷も好適に軽減されるようになる。